(57)【要約】      （修正有）【課題】商品の収納効率は確保したまま、商品搬送手段の可動域を確保し、かつ自動販売機の使い勝手を向上するとともに、外観的にも購買意欲を高める自動販売機を提供する。【解決手段】外扉２２の上部に複数の商品展示部２３と広告展示部２４を集約し、下部に金銭投入口や釣銭返却部やＩＣ等と通信して商品購買可能な通信部などの商品購入操作部２６と、商品が排出される商品取出口２５の操作領域を集約し、操作領域は商品展示部よりも前方に跳び出したパネル面２８に構成することで、購入操作や受け取りを立ち姿勢のまま行うことが出来る。【選択図】図１
2007293484.tif 000002
【特許請求の範囲】
【請求項１】
自動販売機本体の前面に外扉を有し、前記外扉の上部に複数段に並べられた複数の商品展示部、前記商品展示部の下部に金銭投入口や釣銭返却部やＩＣ等と通信して商品購買可能な通信部などの商品購入操作部と、前記商品購入操作部の操作によって商品が排出される商品取出口を備えた自動販売機において、前記商品取出口は前記商品購入操作部とほぼ横並びに配置され、前記商品取出口と前記商品購入操作部は前記商品展示部の基準面に対して前方に跳び出したパネル面を形成し、前記パネル面は左右方向で中央部が凹むように湾曲形成して配置されていることを特徴とする自動販売機。
【請求項２】
商品購入操作部はパネル面上部に構成した面取り部に配置していることを特徴とする請求項１に記載の自動販売機。
【請求項３】
商品等の広告を展示する広告展示部は複数段に並べられた商品展示部の領域内に形成されることを特徴とする請求項１に記載の自動販売機。
【請求項４】
自動販売機本体内の上部に商品収納室、下部に商品を冷却または加温する保温室、前記保温室前方に商品を商品取出口へ搬送する商品搬送手段を備えた自動販売機であって、前記商品搬送手段はパネル面と保温室の間を上下に駆動することを特徴とする請求項１または２に記載の自動販売機。
【発明の詳細な説明】
【技術分野】
【０００１】
本発明は、商品購入時の操作性、購入動作に負担がかからず、快適に使える自動販売機に関するものである。
【背景技術】
【０００２】
従来、この種の自動販売機で、商品取出口を上部に備えた自動販売機を採用しているものがあった（特許文献１参照）。
【０００３】
図３は、特許文献１に記載された従来の自動販売機の斜視図を示すものである。図に示すように、自動販売機１の上部に商品展示室２を備え、金銭等の購入操作部３と商品取出口４が商品展示室２の下方で横並びに配置されている。また商品取出口４への搬送は、キャビネット５内で商品が商品リフタ６によって上部に持ち上げられて搬送される。
【０００４】
以上のように構成された自動販売機について、以下その動作を説明する。
【０００５】
機内に商品の搬送用リフタ６を搭載し、商品収納ラックから下方に払い出した商品を商品リフタ６に載せて外扉の中段高さ位置に開口する商品取出口４へ持ち上げ搬送することで客が立ったままのし姿勢で商品を取出口から取り出せるようにしている。
【特許文献１】特開２０００−３６０７０号公報
【発明の開示】
【発明が解決しようとする課題】
【０００６】
しかしながら、上記従来の構成では、自動販売機本体の前方に商品リフタ６が構成されるので、通常のキャビネットサイズであれば、商品リフタ６の可動域分だけ商品収納室を狭くすることになり、収納効率を低減した状態で商品リフタ６を構成することになるという課題を有していた。
【０００７】
本発明は、上記従来の課題を解決するもので、商品の収納効率は確保したまま、商品搬送手段の可動域を確保し、かつ自動販売機の使い勝手を向上するとともに、外観的にも購買意欲を高める自動販売機を提供することを目的とする。
【課題を解決するための手段】
【０００８】
上記従来の課題を解決するために、本発明の自動販売機は、外扉の上部に複数段に並べられた複数の商品展示部の下部に金銭投入口や釣銭返却部やＩＣ等と通信して商品購買可能な通信部などの商品購入操作部と、商品購入操作部の操作によって商品が排出される商品取出口を備えた自動販売機において、商品取出口は商品購入操作部とほぼ横並びに配置され、商品取出口と商品購入操作部は商品展示部の基準面に対して前方に跳び出したパネル面に配置されているものである。
【０００９】
これによって、立ったままで商品の購入動作を行える使い勝手のよい自動販売機を提供することができる。
【発明の効果】
【００１０】
本発明の自動販売機は、利用者の購入操作、使い勝手を向上しつつ、商品収納効率を確保しているので、利用者側と自動販売機側の両方の使い勝手を高めることができる。
【発明を実施するための最良の形態】
【００１１】
請求項１に記載の発明は、自動販売機本体の前面に外扉を有し、前記外扉の上部に複数段に並べられた複数の商品展示部、前記商品展示部の下部に金銭投入口や釣銭返却部やＩＣ等と通信して商品購買可能な通信部などの商品購入操作部と、前記商品購入操作部の操作によって商品が排出される商品取出口を備えた自動販売機において、前記商品取出口は前記商品購入操作部とほぼ横並びに配置され、前記商品取出口と前記商品購入操作部は前記商品展示部の基準面に対して前方に跳び出したパネル面を形成し、前記パネル面は左右方向で中央部が凹むように湾曲形成して配置されているので商品の購入操作や受け取りをしゃがむことなく立ったまま行うことが出来る。
【００１２】
請求項２に記載の発明は、請求項１に記載の発明にさらに、商品購入操作部はパネル面上部に構成した面取り部に配置しているものであり、金銭等の投入口が上方向に向いて構成されるので、金銭等の投入操作を容易に行うことが出来き、使い勝手を向上することができる。
【００１３】
請求項３に記載の発明は、請求項１に記載の発明にさらに、商品等の広告を展示する広告展示部は複数段に並べられた商品展示部の領域内に形成されるもので、外扉の上部域は商品や広告の展示部とし、下部領域には利用者が操作する操作部として外扉上の機能領域を分けることで、さらに使い勝手を向上することができる。
【００１４】
請求項４に記載の発明は、請求項１または２に記載の発明にさらに、自動販売機本体内の上部に商品収納室、下部に商品を冷却または加温する保温室、前記保温室前方に商品を商品取出口へ搬送する商品搬送手段を備えた自動販売機であって、前記商品搬送手段はパネル面と保温室の間を上下に駆動するものであり、商品収納室の収納効率を維持し、またパネル面は湾曲形成されているので、利用者の操作性を維持したまま、商品搬送手段を備えることができる。
【００１５】
（実施の形態１）
図１（ａ）は、本発明の実施の形態１の自動販売機の正面図、図１（ｂ）は、図１（ａ）の側面図、図２は自動販売機の縦断面概略図である。
【００１６】
図において、自動販売機２０は自動販売機本体２１とその前面を開閉する外扉２２を備えている。
【００１７】
外扉２２の構成について説明する。
【００１８】
外扉２２の上部に、商品見本を展示する商品展示部２３と商品等の広告を掲載する広告展示部２４を備え、下部には搬出された商品を取り出す商品取出口２５と金銭投入口や釣銭返却部やＩＣ等と通信して商品購買可能な通信部などの商品購入操作部２６が構成されている。また商品購入操作部２６の下方に釣銭取出口２７が形成されている。
【００１９】
上記のように外扉２２の上部領域を商品や広告などの展示部領域２２ａとし、下部領域を利用者が操作する操作領域２２ｂとして機能を上下で分けている。
【００２０】
この展示部領域２２ａと操作部領域２２ｂは、日本人の身長や子供から大人まで乗利用者を想定した場合に次のような高さ設定をすれば、使い勝手が向上する。すなわち、自動販売機が置かれる床面から展示部領域２２ａの上端までの高さＨ１、操作部領域２２ｂまでの高さＨ２とすると、Ｈ１≦１８００ｍｍ、６００ｍｍ≦Ｈ２≦１０００ｍｍの範囲に設定されることで、使い勝手が向上する。
【００２１】
また操作部領域２２ｂはパネル面２８に構成されている。パネル面２８は展示領域２２ａが構成される外扉の面（基準面とする）よりも前方に跳びだした位置に形成され、外扉２２と一体成形または溶接等で固定されている。
【００２２】
そしてパネル面２８は左右方向で中央部が自動販売機２０の後方側に湾曲形成（後方側に凹みとなる）に成形され、その中央部の延長線上に商品取出口２５が構成されている。パネル面２８の上部は面取り部２８ａ（傾斜面）が形成されており、この面取り部２８ａに商品購入操作部２６が構成されている。すなわち商品取出口２５はパネル面２８の中央部でこの面取り部２８ａから下方に向かって矩形状に開口部を有し、商品取出口２５の横方向で面取り部２８ａに商品購入操作部２６がある。
【００２３】
次に自動販売機本体２１の構造について説明すると、上部に商品を常温で収納する商品収納室３０を備え、下部に商品を冷却または加温する保温室３１を備え、保温室３１の下部には冷却加温システムの機能部品を収納する機械室３２が構成されている。保温室３１の前方には冷却または加温された商品を上部の商品取出口２５へ搬送する商品搬送手段３３が構成されている。
【００２４】
商品搬送手段３３は、自動販売機本体２１内には収納しきれず、一部が本体外に跳びだした構成となっている。そして商品搬送手段３３の可動域に対応する部分にパネル面２８が形成されており、商品搬送手段３３を移動可能に形成している。
【００２５】
以上のように構成された自動販売機の動作を説明する。
【００２６】
利用者が自動販売機２０の前に立って商品を購入するとき、パネル面２８が湾曲形成されているので、利用者の立ち位置を無意識的に自動販売機２０の中央に立たせる役目となっている。そして面取り部２８ａが傾斜面となっているので金銭の投入がしやすく、また非接触端末を使用する場合でも、上方向から近づけたり、投入する動作となるので、操作性を向上することができる。
【００２７】
そして、商品を選択すると、それに連動して保温室３１内の商品が排出され、商品搬送手段３３によって商品取出口２５に搬送される。このとき商品取出口２５の高さが６００ｍｍ≦Ｈ２≦１０００ｍｍの範囲にあるので、利用者は立ったままの姿勢で商品を取り出すことが出来き、利用者の取出し動作負担を低減することができる。
【産業上の利用可能性】
【００２８】
以上のように、本発明にかかる自動販売機は、利用者の使い勝手を向上しつつ、商品収納効率を確保しているので、あらゆる自動販売機の用途にも適用できる。
【図面の簡単な説明】
【００２９】
【図１】（ａ）本発明の実施の形態１の自動販売機の正面図（ｂ）図１（ａ）の側面図
【図２】同実施の形態の自動販売機の縦断面概略図
【図３】従来の自動販売機の斜視図
【符号の説明】
【００３０】
２２  外扉
２３  商品展示部
２４  広告展示部
２５  商品取出口
２６  商品購入操作部
２８  パネル面
２８ａ  面取り部
３３  商品搬送手段
【図１】
2007293484.tif 000003
【図２】
2007293484.tif 000004
【図３】
2007293484.tif 000005